(57)【要約】【課題】この発明は、マイナスイオンを効果的に発生する放射性鉱物と、体圧の均一的な分散による寝心地の良さに加え、温熱、血行促進するセラミックボールを一体的に配置して健康増進を長期間効率的に維持されて、身体の機能回復を図る健康増進用寝具を提供することを目的とするものである。【解決手段】この発明に係る健康増進用寝具は、比較的弾力性を有する寝具用マット体１のカバー類７に、マイナスイオンを発生する希土類の放射性鉱物粉末２および鉱石の微粉末３を加熱熔融型の合成樹脂４に混入して、熔融固化されるマイナスイオン発生受容体５の頂部に、鉱石または磁石、磁性からなるセラミック粒状体６をやや突出状に一体的に埋設してなるものである。【選択図】　　　図１
2004121772.tif 000002
【特許請求の範囲】
【請求項１】
ウレタン、エチレンおよびカタワタ等の比較的弾力性を有するフトンやマットの芯材の平面およびこれらを覆う布地またはそのカバー類の表面または裏面に、マイナスイオンを発生する希土類等の放射性鉱物の粉末を、加熱発泡型の合成樹脂に混入してマイナスイオン発生受容体を形成し、該マイナスイオン発生受容体を、その加熱熔融状態において、マット体に適宜間隔で滴下して、その頂部にセラミックまたは磁石の粒状体をやや突出状に一体的に設けてなることを特徴とする健康増進用寝具。
【請求項２】
前記マイナスイオン発生受容体を、ジルコン等の希土類の微粉末に他の鉱石パウダーを混入することを特徴とする請求項１記載の健康増進用寝具。
【請求項３】
前記マイナスイオン発生受容体を、ジルコン等の希土類の粉末を含む受容体と他の鉱石パウダーを含む受容体を層状に形成してなることを特徴とする請求項１記載の健康増進用寝具。
【請求項４】
前記セラミック粒状体を、放射性のジルコンボールまたは鉱石のセラミックスボールとすることを特徴とする請求項１ないし３のいずれかに記載の健康増進用寝具。
【請求項５】
前記セラミック粒状体を、磁性ボールとすることを特徴とする請求項１ないし３のいずれかに記載の健康増進用寝具。
【発明の詳細な説明】
【０００１】
【発明の属する技術分野】
この発明は、ウレタン素材等の寝具用マットの平面部分およびそれらを覆う布地またはカバー類に、マイナスイオンを発生させて就寝中のリラクリゼーションを高め、磁性力により血行をよくし、筋肉の凝りを解し、同時に、遠赤外線を放射して、温熱作用により血液の循環促進を図る健康増進用寝具に関するものである。
【０００２】
【従来の技術】
従来、健康増進などに対して有効とされる、磁力線を放射する磁石や遠赤外線を放射する鉱石が注目され、寝具を始めとして様々の健康器具の分野で利用されている。
【０００３】
【発明が解決しようとする課題】
しかしながら、従来この種の鉱石や磁石の多くは、各種の健康器具の素材に接着その他の固着手段により一体化して使用されていた。
【０００４】
この発明は、上記に鑑みてなされたもので、ウレタンやエチレンマットやカタワタを利用して製せられるフトン類の芯材の平面部分またはそれらを覆う布地、あるいは敷布等のカバー類等を始めとする寝具に、マイナスイオンを効果的に発生する放射性鉱物の粉末を固化し、さらに、温熱、血行を促進するセラミックまたは磁石ボールを一体的に配置して健康増進を長期間効率的に維持されて、身体の機能回復を図る健康増進用寝具を提供することを目的とするものである。
【０００５】
【課題を解決するための手段】
上記課題を達成するために、本発明に係る健康増進用寝具は、ウレタン、エチレンおよびカタワタ等の比較的弾力性を有するフトンやマットの芯材の平面およびこれらを覆う布地またはそのカバー類の表面または裏面に、マイナスイオンを発生する希土類等の放射性鉱物の粉末を、加熱発泡型の合成樹脂に混入してマイナスイオン発生受容体を形成し、該マイナスイオン発生受容体をその加熱熔融状態において、マット体に適宜間隔で滴下して、その頂部にセラミックや磁石の粒状体をやや突出状に一体的に設けてなることを特徴とするものである。
【０００６】
さらに、これらの前記マイナスイオン発生受容体を、ジルコン等の希土類の微粉末と他の鉱石パウダーを混入することを特徴とするものである。
【０００７】
さらに、前記マイナスイオン発生受容体を、ジルコン等の希土類の微粉末を含む受容体と他の鉱石パウダーを含む受容体を層状に形成してなることを特徴とするものである。
【０００８】
さらに、熔融固化されるマイナスイオン発生受容体の頂部に配置されるセラミック粒状体は、放射性のジルコンボールまたは磁石、磁性ボールが選択され、いずれか一方を単体で使用する以外、マット体の表面の平面部分、またはそれらを覆う布地あるいは敷布等のカバー類に適宜配置されることを特徴とするものである。
【０００９】
【発明の実施の形態】
以下、本発明に係る健康増進用寝具の実施の形態につき、添付図面に基づいて説明する。
【００１０】
図１は、この発明に係る健康増進用寝具マットの設置形態を示す側面図であり、図２は、その平面図である。
【００１１】
この発明に係る健康増進用寝具は、図１および図２に示すように、比較的弾力性を有する寝具用マット体１と、とくに、マイナスイオンを発生する希土類の放射性鉱物の粉末２、または、他の鉱石類の粉末３を加熱熔融型の合成樹脂４に混入して形成されるマイナスイオン発生受容体５と、このマイナスイオン発生受容体５の頂部にやや突出状に一体的に埋設してなるセラミック粒状体６とより構成されている。
【００１２】
前記寝具用マット体１は、主として多気孔性で高密度のウレタンフォーム体の低反発性のウレタンマット素材が使用され、体重を掛けるとゆっくりと身体の凹凸に合わせて沈み、体圧を均一に吸収分散して身体を支え、血行を妨げずに一体感が得られるものが望ましく、ウレタン素材以外にもエチレンを素材としたマットや綿を圧縮して得られるカタワタ等が用いられる。
【００１３】
なお、この健康推進用の寝具は、身体を横たえる寝具用マット体１以外これに類するもの、例えば、枕や腰当て等ににも同様に適用されるものである。
【００１４】
マイナスイオン発生受容体５は、図３に示すように、マイナスイオンを発生する希土類の放射性鉱物の微粉末２または他の鉱石パウダー３を加熱熔融型の合成樹脂４に混入して熔融固化して形成され、このマイナスイオン発生受容体５の頂部に、セラミック粒状体６をやや突出状に一体的に埋設してなるものである。
【００１５】
その頂部にセラミック粒状体６を設けた放射性鉱物を含有するマイナスイオン発生受容体５は、その熔融状態において、前記寝具用マット体１のカバー類７に適宜間隔を有して設置される。
【００１６】
すなわち、マイナスイオン発生受容体５は、マイナスイオンを発生する希土類の放射性鉱物の微粉末２または一般的な鉱石パウダー３を、加熱熔融型の合成樹脂４と混錬して、この混錬物を加熱熔融したホットメルトとして、寝具用マット体１のカバー類７、すなわち、その布地の表面またはシーツ等の表側または裏側において、その平面部分の表面の予め位置決めされた個所に、その熔融状態で適宜量滴下して冷却され、平面視略円形にかつ側面視略円弧状に固化して形成される。
【００１７】
次ぎに、この滴下されて流動性を保っているマイナスイオン発生受容体５の頂部に、放射性のジルコンボール６ａまたは磁石、磁性ボール６ｂのいずれかのセラミックボール６を選択して、その頭部がやや突出するように一体的に埋設して、セラミックボール６をマイナスイオン発生受容体５に一体化して形成されるものである。
【００１８】
前記マイナスイオン発生受容体５とセラミックボール６は、図１に示されるように、寝具用マット体１の表面に適宜の幅を持って整列して矩形状に設置する以外、例えば、図５に示すように、寝具に仰臥する状態を模して、頭部や脚部が当接する部位と躯体部が当接する部位との配置状熊を異にしたりすることが可能である。
【００１９】
また、マイナスイオン発生受容体５とセラミックボール６は、マット体１のカバー類７の表面に設置される以外、シーツ等のカバー類７の裏面、あるいはマット体１の裏地や生地の裏側に設置されるものであってもよい（図示せず）。
【００２０】
さらに、前記マイナスイオン発生受容体５は、ジルコン等の希土類の放射性鉱物の微粉末２と、他の鉱石パウダー３を加熱熔融型の合成樹脂４と混錬して熔融したもので説明したが、図４に示すように、希土類の放射性鉱物の微粉末２と鉱石パウダー３をそれぞれ単体として、加熱熔融型の合成樹脂４と混錬して熔融した放射性鉱物の微粉末２と鉱石パウダー３の熔融体を別途形成して、鉱石パウダー３の熔融体を所定位置に滴下して設けた受容層に、放射性鉱物の微粉末２の熔融体をその上に滴下して受容層を重層して、２層からなるマイナスイオン発生受容体５を形成して、セラミックボール６をその頂部に取り付けるものであってもよい。
【００２１】
また、放射性鉱物の微粉末２のマイナスイオン発生受容体５と鉱石パウダー３のマイナスイオン発生受容体５を、それぞれ形成して交互にまたは、適宜幅で形成するものであってもよい（図示せず）。
【００２２】
セラミックボール６もまた、放射性のジルコンボール６ａまたは磁石、磁性ボール６ｂのいずれか一方のみを選択して、マイナスイオン発生受容体５に取り付ける以外、この放射性のジルコンボール６ａと磁石または磁性ボール６ｂとを交互に設置することにより、より多様な健康増進効果を得ることができるものである。
【００２３】
なお、セラミックボール６を備えた鉱物の粉末を固化してなるマイナスイオン発生受容体５は、寝具用マット体１のカバー類７の平滑状面に、やや盛り上がり状に滴下される以外、その縦横に多数列の凹部が穿設されている寝具用マット体１に設置する場合には、この凹部に放射性鉱物の微粉末２と鉱石パウダー３を合成樹脂４に混錬した流状物を適宜熔融状態で滴下してマイナスイオン発生受容体５を形成するものでもよい。
【００２４】
なお、マイナスイオン発生受容体５を寝具用マット体１に、その熔融状態で滴下してその頂部にセラミックボール６を一体的に埋設することで説明したが、これに限らず、予めセラミックボール６を一体的に埋設した固形化されたマイナスイオン発生受容体５を形成して、その被着面を熔融若しくは適宜接着手段を用いて寝具用マット体１に接着固定するものであってもよい。
【００２５】
【発明の効果】
以上説明したように、本発明に係る健康増進用寝具によれば、マイナスイオンを発生する放射性鉱物の粉末を、加熱発泡型の合成樹脂に混入してマイナスイオン発生受容体を形成し、該マイナスイオン発生受容体をその加熱熔融状態において、比較的弾力性を有する寝具用マット体の芯材の平面およびこれらを覆う布地またはそのカバー類の表面または裏面に、適宜間隔で滴下して、その頂部にセラミック粒状体をやや突出状に一体的に設けてなるもので、放射性鉱物の微粉末を含有するマイナスイオン発生受容体によって、マイナスイオンを効果的に発生させて寝心地の良さに加え、就寝者の身体から発生する悪臭等を吸収して就寝環境を浄化させ、さらに、マイナスイオン発生受容体と一体的にセラミックボールを配置することにより、温熱、血行が促進され、健康増進を長期間効率的に維持されて、身体の機能回復を図ることができる。
【００２６】
また、マイナスイオン発生受容体を、ジルコン等の希土類の微粉末や鉱石パウダーを単独あるいは混和したり、層状として加熱熔融型の合成樹脂に含有することにより、発生するマイナスイオンによる消臭あるいは空気の浄化作用で、安眠や疲労回復を促進することができるものである。
【００２７】
さらに、前記セラミック粒状体を、放射性のジルコンボールまたは磁石、磁性ボールを用いて、マイナスイオン発生受容体の頂部に突出状に設けることにより、その就寝中にマイナスイオンの発生よって就寝環境を良好に保つとともにセラミック粒状体によって身体へ適度な刺激が促進されて、熟睡とより効果的な身体の疲労回復を図ることができる。
【図面の簡単な説明】
【図１】この発明に係る健康増進用寝具マットの側面状態を示す略示図である。
【図２】同じくその平面状態を示す略示図である。
【図３】マイナスイオン発生受容体とセラミックボールが固化した状態を示すもので、（イ）は側面図、（ロ）はその平面図である。
【図４】二層とするマイナスイオン発生受容体の側面図である。
【図５】マイナスイオン発生受容体とセラミックボールとの他の設置状態を示す平面図である。
【符号の説明】
１　　　　寝具用マット体
２　　　　放射性鉱物の微粉末
３　　　　鉱石パウダー
４　　　　合成樹脂
５　　　　マイナスイオン発生受容体
６　　　　セラミックボール
６ａ　　　ジルコンボール
６ｂ　　　磁石、磁性ボール
７　　　　寝具用マット体１のカバー類
【図１】
2004121772.tif 000003
【図２】
2004121772.tif 000004
【図３】
2004121772.tif 000005
【図４】
2004121772.tif 000006
【図５】
2004121772.tif 000007